(57)【要約】    【課題】  光学特性の異なる複数の表示器に供給される映像信号を処理する際、それぞれに専用の表示駆動回路を設けることなく、表示器の画質を最適化できる画像表示装置を提供する。    【解決手段】  マイコン１４が直視型液晶表示パネル１０だけを駆動する場合、直視型液晶表示パネル１０の光学特性に最適な設定値の組み合わせ（ブライトネス、コントラスト、ガンマ等の調整を行う制御信号の設定値の組合せ）で液晶駆動回路２を制御する。また、ファインダ型液晶表示パネル１１だけを駆動する場合、ファインダ型液晶表示パネル１１の光学特性に最適な設定値の組み合わせで液晶駆動回路２を制御する。また、直視型液晶表示パネル１０およびファインダ型液晶表示パネル１１の両方を同時に駆動する場合、ほぼ中間値の組合せで液晶駆動回路２を制御する。【選択図】      図２
2005348179.tif 000002
【特許請求の範囲】
【請求項１】
共通の表示駆動回路を用いて、光学特性の異なる複数の表示器に供給される映像信号を処理する画像表示装置であって、
前記複数の表示器の動作状態を検出する検出手段と、
前記検出された動作状態に応じて、前記表示駆動回路の処理特性を変更する変更手段とを備えたことを特徴とする画像表示装置。
【請求項２】
前記変更手段は、
前記処理特性を決定する複数の設定値を保持する設定値保持手段と、
前記検出された動作状態に応じて、前記保持された複数の設定値のいずれかを選択する選択手段とを備え、
前記選択された設定値を前記表示駆動回路に設定することで、該表示駆動回路の処理特性を変更することを特徴とする請求項１記載の画像表示装置。
【請求項３】
前記検出手段は、前記表示器の開閉状態を検出する開閉検出手段と、前記表示器の回動状態を検出する回動検出手段とを備えると共に、
前記検出された開閉状態および回動状態を基に、前記表示器の表示動作を制御する制御手段を備えたことを特徴とする請求項１記載の画像表示装置。
【請求項４】
ユーザによって切替操作が行われる切替手段を備え、
前記変更手段は、前記切替操作に応じて、前記設定値保持手段に保持された設定値を選択する第２の選択手段を備えたことを特徴とする請求項２記載の画像表示装置。
【請求項５】
前記変更される処理特性は、前記映像信号のブライトネス、コントラスト、ガンマおよびホワイトバランスの少なくとも１つであることを特徴とする請求項１または２記載の画像表示装置。
【請求項６】
第１の表示器および第２の表示器を有し、
前記複数の設定値は、前記第１の表示器の光学特性に最も適した第１の設定値、前記第２の表示器の光学特性に最も適した第２の設定値、および前記第１、第２の設定値のほぼ中間値である第３の設定値を含むことを特徴とする請求項１記載の画像表示装置。
【請求項７】
前記複数の設定値は、前記第１、第２、第３の設定値の他、前記中間値より前記第１の設定値に近い第４の設定値、および前記中間値より前記第２の設定値に近い第５の設定値を含むことを特徴とする請求項６記載の画像表示装置。
【請求項８】
前記第１の表示器は開閉かつ回動自在であると共に、前記第２の表示器は固定されており、
前記第１の表示器の開閉状態および回動状態に基づき、前記第１の表示器および前記第２の表示器の表示動作を制御する制御回路を備えたことを特徴とする請求項６記載の画像表示装置。
【請求項９】
液晶表示装置に適用されたことを特徴とする請求項６乃至８のいずれかに記載の画像表示装置。
【請求項１０】
共通の表示駆動回路を用いて、光学特性の異なる複数の表示器に供給される映像信号を処理する映像信号処理方法であって、
前記複数の表示器の動作状態を検出する検出ステップと、
前記検出された動作状態に応じて、前記表示駆動回路の処理特性を変更する変更ステップとを有することを特徴とする映像信号処理方法。
【発明の詳細な説明】
【技術分野】
【０００１】
本発明は、共通の表示駆動回路を用いて、光学特性の異なる複数の表示器に供給される映像信号を処理する画像表示装置および映像信号処理方法に関する。
【背景技術】
【０００２】
従来、輝度調整を行う際、映像信号の振幅を絞っても十分な階調表示を実現する液晶表示装置が知られている（例えば、特許文献１参照）。また、カメラ一体型ＶＴＲとして、直視型液晶表示パネルおよびファインダ型液晶表示パネルを備えたものが知られている。このカメラ一体型ＶＴＲでは、２つの表示パネルをそれぞれ専用の駆動回路で駆動する方式がとられていた。これは、液晶パネルの種類によってガンマ、ブライトネス、コントラスト、ホワイトバランス等の光学特性が異なるので、個々に独立した駆動系を用意せざるを得ないためである。
【０００３】
図５は従来の液晶表示装置の電気的構成を示すブロック図である。この液晶表示装置は、直視型液晶表示パネル１１０、この直視型液晶表示パネルを駆動する第１の液晶駆動回路１０２ａ、ファインダ型液晶表示パネル１１１、およびこのファインダ型液晶表示パネル１１１を駆動する第２の液晶駆動回路１０２ｂから構成される。
【０００４】
第１の液晶駆動回路１０２ａは、映像信号の振幅を調整するコントラスト調整回路１０３ａ、セットアップレベルを調整するブライトネス調整回路１０４ａ、ガンマ特性を調整するガンマ調整回路１０５ａ、メモリ１０６ａなどを有する。また、第２の液晶駆動回路１０２ｂは、映像信号の振幅を調整するコントラスト調整回路１０３ｂ、セットアップレベルを調整するブライトネス調整回路１０４ｂ、ガンマ特性を調整するガンマ調整回路１０５ｂ、メモリ１０６ｂなどを有する。
【０００５】
上記構成を有する画像表示装置では、デコーダ（図示せず）でＲＧＢ形式に変換された映像信号が入力端子１０１に入力されると、この映像信号は第１の液晶駆動回路１０２ａに供給され、コントラスト調整回路１０３ａ、ブライトネス調整回路１０４ａ、ガンマ調整回路１０５ａ、極性反転回路（図示せず）などで信号処理された後、直視型液晶表示パネル１１０に供給され、画像が表示される。このとき、コントラスト調整回路１０３ａ、ブライトネス調整回路１０４ａおよびガンマ調整回路１０５ａでは、メモリ１０６ａに格納されている第１の制御データ１０７に基づき、調整値が設定される。
【０００６】
また、入力端子１０１に入力された映像信号は、同時に第２の液晶駆動回路１０２ｂに供給され、コントラスト調整回路１０３ｂ、ブライトネス調整回路１０４ｂ、ガンマ調整回路１０５ｂ、極性反転回路（図示せず）などで信号処理された後、ファインダ型液晶表示パネル１１１に供給され、画像が表示される。このとき、コントラスト調整回路１０３ｂ、ブライトネス調整回路１０４ｂおよびガンマ調整回路１０５ｂでは、メモリ１０６ｂに格納されている第２の制御データ１０８に基づき、調整値が設定される。
【０００７】
このように、従来のカメラ一体型ＶＴＲでは、直視型液晶表示パネルおよびファインダ型液晶表示パネルのそれぞれに最適な設定が可能であった。
【特許文献１】特開平０５−０９４１５６号公報
【発明の開示】
【発明が解決しようとする課題】
【０００８】
しかしながら、上記従来の画像表示装置では、以下に掲げる点において、なお一層の改善が要望されていた。すなわち、液晶駆動回路が２組搭載されているので、部品面積、消費電力、コストの面で不利であり、小型・低消費電力・低価格の機器を供給することが困難であった。
【０００９】
ここで、カメラ一体型ＶＴＲでは、直視型液晶表示パネル、ファインダ型液晶表示パネルなど複数の液晶パネルが用いられるが、個々に光学特性が異なるので、ブライトネス、コントラスト、ガンマなどの最適な設定値は、それぞれ異なる。また、近年、液晶表示パネルのバックライトの光源として白色発光ダイオード（以下、白色ＬＥＤという）が用いられるが、その特性上、色度のばらつきが大きいので、映像信号Ｒ，Ｇ，Ｂのセットアップにオフセットを持たせることによって、液晶パネル上での色度を補正していた。したがって、直視型液晶表示パネルとファインダ型液晶表示パネルの光学特性がたとえ等しかったとしても、組み合わせるバックライトの色度が異なる場合、各表示パネルに対する映像信号の最適な設定値はやはり異なることになる。
【００１０】
前述したように、これら２つの液晶表示パネルをそれぞれ専用の駆動回路で駆動すると、それぞれの液晶表示パネルに最適な映像信号を供給できるが、この場合、液晶駆動回路を２組使用するので、部品面積、消費電力、コストの面で不利であり、小型・低消費電力・低価格の機器を供給することは困難であった。
【００１１】
一方、１つの駆動回路で２つの液晶パネルを駆動すると、それぞれの液晶表示パネルに最適な映像信号を供給できないので、どちらか一方の表示パネルの画質が犠牲になってしまうという問題があった。
【００１２】
そこで、本発明は、光学特性の異なる複数の表示器に供給される映像信号を処理する際、それぞれに専用の表示駆動回路を設けることなく、表示器の画質を最適化できる画像表示装置および映像信号処理方法を提供することを目的とする。
【課題を解決するための手段】
【００１３】
上記目的を達成するために、本発明の画像表示装置は、共通の表示駆動回路を用いて、光学特性の異なる複数の表示器に供給される映像信号を処理する画像表示装置であって、前記複数の表示器の動作状態を検出する検出手段と、前記検出された動作状態に応じて、前記表示駆動回路の処理特性を変更する変更手段とを備えたことを特徴とする。
【００１４】
本発明の映像信号処理方法は、共通の表示駆動回路を用いて、光学特性の異なる複数の表示器に供給される映像信号を処理する映像信号処理方法であって、前記複数の表示器の動作状態を検出する検出ステップと、前記検出された動作状態に応じて、前記表示駆動回路の処理特性を変更する変更ステップとを有することを特徴とする。
【発明の効果】
【００１５】
本発明の請求項１に係る画像表示装置によれば、共通の表示駆動回路を用いて、光学特性の異なる複数の表示器に供給される映像信号を処理する際、複数の表示器の動作状態を検出し、この検出された動作状態に応じて、表示駆動回路の処理特性を変更するので、光学特性の異なる複数の表示器に供給される映像信号を処理する際、それぞれに専用の表示駆動回路を設けることなく、表示器の画質を最適化できる。したがって、部品面積、消費電力、コストを抑えることができる。
【００１６】
請求項２に係る画像表示装置によれば、表示駆動回路の処理特性を容易に変更できる。請求項３に係る画像表示装置によれば、表示器の開閉状態および回動状態に応じて、自動的に表示駆動回路の処理特性を変更できる。請求項４に係る画像表示装置によれば、ユーザの意図に適した画質調整を行うことができる。請求項６に係る画像表示装置によれば、第１の表示器だけを駆動する場合、第２の表示器だけを駆動する場合、および第１、第２の表示器の両方を駆動する場合のいずれも、適正な画質に設定できる。請求項７に係る画像表示装置によれば、第１、第２の表示器を同時に駆動する際、第１の表示器または第２の表示器の画質を優先させることができる。請求項８に係る画像表示装置によれば、第１の表示器の開閉状態および回動状態に応じて、第１、第２の表示器の画質を適正に設定できる。
【発明を実施するための最良の形態】
【００１７】
本発明の画像表示装置および映像信号処理方法の実施の形態について図面を参照しながら説明する。本実施形態の画像表示装置は、液晶表示装置が搭載されたカメラ一体型ＶＴＲに適用される。図１は実施の形態におけるカメラ一体型ＶＴＲの外観を示す斜視図である。このカメラ一体型ＶＴＲ２０の本体側面には、直視型液晶表示パネル１０が設けられており、またその本体背面には、ファインダ型液晶表示パネル１１が設けられている。直視型液晶表示パネル１０は、カメラ一体型ＶＴＲ２０本体から、ヒンジ部３０を介してＡ方向に開閉自在であるとともにＢ方向に回動自在である。
【００１８】
図２はカメラ一体型ＶＴＲの電気的構成を示すブロック図である。このカメラ一体型ＶＴＲ２０は、レンズ１５、ＣＣＤ１６、カメラ信号処理回路１７、レコーダ回路１８、液晶駆動回路２、マイコン１４、直視型液晶表示パネル１０、ファインダ型液晶表示パネル１１等を有する。マイコン１４には、開閉検知スイッチ（ＳＷ）１２、回転検知スイッチ（ＳＷ）１３および切替スイッチ（ＳＷ）２５が接続されている。液晶駆動回路２は、映像信号の振幅を調整するコントラスト調整回路３、セットアップレベルを調整するブライトネス調整回路４、ガンマ特性を調整するガンマ調整回路５、極性反転回路（図示せず）、メモリ６等を有する。メモリ６には、第１の制御データ７、第２の制御データ８、第３の制御データ９、第４の制御データ２１および第５の制御データ２２が記憶されている。
【００１９】
図３は各制御データの値を示すテーブルである。第１の制御データ７は、コントラスト、ブライトネスおよびガンマの各調整値が直視型液晶表示パネル１０の光学特性に最も適した値に設定されたものである。第１の制御データでは、コントラスト、ブライトネス、ガンマの各調整値がそれぞれＡ１、Ｂ１、Ｃ１に設定されている。第２の制御データ８はコントラスト、ブライトネスおよびガンマの各調整値がファインダ液晶表示パネル１１の光学特性に最も適した値に設定されたものである。第２の制御データでは、コントラスト、ブライトネス、ガンマの各調整値がそれぞれＡ２、Ｂ２、Ｃ２に設定されている。第３の制御データ９は、直視型液晶表示パネル１０とファインダ液晶表示パネル１１の最適な画質におけるほぼ中間の値に設定されたものである。第３の制御データでは、コントラスト、ブライトネス、ガンマの各調整値がそれぞれＡ３、Ｂ３、Ｃ３に設定されている。調整値Ａ３、Ｂ３、Ｃ３は、数式（１）に示す通り、第１の制御データＡ１、Ｂ１、Ｃ１、第２の制御データＡ２、Ｂ２、Ｃ２を基に算出される。
【００２０】
Ａ３≒１／２（Ａ１＋Ａ２）
Ｂ３≒１／２（Ｂ１＋Ｂ２）
Ｃ３≒１／２（Ｃ１＋Ｃ２）  ……  （１）
第４の制御データ２１は、直視型液晶表示パネル１０とファインダ液晶表示パネル１１の最適な画質における中間の値より直視型液晶表示パネル１０の最適な画質側に寄った値に設定されたものである。第４の制御データでは、コントラスト、ブライトネス、ガンマの各調整値がそれぞれＡ４、Ｂ４、Ｃ４に設定されている。調整値Ａ４、Ｂ４、Ｃ４は、数式（２）に示す通り、第１の制御データＡ１、Ｂ１、Ｃ１、第２の制御データＡ２、Ｂ２、Ｃ２を基に算出される。
【００２１】
Ａ１＜Ａ４＜１／２（Ａ１＋Ａ２）
Ｂ１＜Ｂ４＜１／２（Ｂ１＋Ｂ２）
Ｃ１＜Ｃ４＜１／２（Ｃ１＋Ｃ２）  ……  （２）
第５の制御データ２２は、直視型液晶表示パネル１０とファインダ液晶表示パネル１１の最適な画質における中間の値よりファインダ型液晶表示パネル１１の最適な画質側に寄った値に設定されたものである。第５の制御データでは、コントラスト、ブライトネス、ガンマの各調整値がそれぞれＡ５、Ｂ５、Ｃ５に設定されている。調整値Ａ５、Ｂ５、Ｃ５は、数式（３）に示す通り、第１の制御データＡ１、Ｂ１、Ｃ１、第２の制御データＡ２、Ｂ２、Ｃ２を基に算出される。
【００２２】
１／２（Ａ１＋Ａ２）＜Ａ５＜Ａ２
１／２（Ｂ１＋Ｂ２）＜Ｂ５＜Ｂ２
１／２（Ｃ１＋Ｃ２）＜Ｃ５＜Ｃ２  ……  （３）
上記構成を有するカメラ一体型ＶＴＲの動作を示す。レンズ１５を介して入力した被写体の光学像はＣＣＤ１６上に結像し、ＣＣＤ１６で光電変換された後、その電気信号はカメラ信号処理回路１７に供給される。カメラ信号処理回路１７で画像処理された映像信号は、レコーダ回路１８に供給され、レコーダ回路１８で信号処理された後、レコーダ（図示せず）によって記録媒体に記録される。また、これと同時に、レコーダ回路１８からの映像信号は、ビデオ出力端子１９および液晶駆動回路２の入力端子１に供給される。
【００２３】
入力端子１に入力された映像信号（ＲＧＢ信号）は、液晶駆動回路２に供給されると、コントラスト調整回路３、ブライトネス調整回路４、ガンマ調整回路５、極性反転回路（図示せず）等で信号処理された後、直視型液晶表示パネル１０およびファインダ型液晶表示パネル１１に出力される。そして、直視型液晶表示パネル１０およびファインダ型液晶表示パネル１１に画像が表示される。
【００２４】
ここで、コントラスト調整回路３、ブライトネス調整回路４およびガンマ調整回路５では、メモリ６に格納されている第１の制御データ７、第２の制御データ８および第３の制御データ９のいずれかに基づいて調整値が設定される。
【００２５】
また、前述したように、直視型液晶表示パネル１０は、ヒンジ部３０を介して開閉自在かつ回動自在であり、その開閉状態は開閉検出スイッチ１２によって検出されるとともに、その回動状態は回転検知スイッチ１３によって検出される。これら検出結果は、マイコン１４に供給される。マイコン１４は、これらの検出結果を基に、直視型液晶表示パネル１０だけを表示させるか、ファインダ型液晶表示パネル１１だけを表示させるか、直視型液晶表示パネル１０とファインダ型液晶表示パネル１１の両方を表示させるかを選択する制御を行う。これと同時に、マイコン１４は、メモリ６に対し、直視型液晶表示パネル１０だけを表示させる場合、第１の制御データ７を、ファインダ型液晶表示パネル１１だけを表示させる場合、第２の制御データ８を、直視型液晶表示パネル１０とファインダ型液晶表示パネル１１の両方を表示させる場合、第３の制御データ９を選択する制御を行う。そして、これらの選択された制御データを基に、コントラスト調整回路３、ブライトネス調整回路４およびガンマ調整回路５の調整値が設定される。
【００２６】
尚、直視型液晶表示パネル１０とファインダ型液晶表示パネル１１の両方を表示させる場合、第３の制御データ９の代わりに、第４の制御データ２１を用いてもよく、この場合、直視型液晶表示パネル１０の画質を優先した画質優先モードとなる。同様に、第３の制御データ９の代わりに、第５の制御データを用いてもよく、この場合、ファインダ型液晶表示パネル１１の画質を優先した画質優先モードとなる。これらの画質優先モードは、ユーザが切替スイッチ２５を操作することにより切替可能である。
【００２７】
図４はコントラスト調整回路３、ブライトネス調整回路４およびガンマ調整回路５の調整値設定処理手順を示すフローチャートである。この処理プログラムは、マイコン１４内のＲＯＭ（図示せず）に格納されており、マイコン１４内のＣＰＵ（図示せず）によって実行される。
【００２８】
まず、開閉検知スイッチ１２および回転検知スイッチ１３の状態を読み込む（ステップＳ１、Ｓ２）。これらの開閉検知スイッチ１２および回転検知スイッチ１３の状態を基に、画像を表示させる表示パネルを選択する（ステップＳ３）。ここで、表示パネルの選択は、以下のような表示形態になるように行われる。直視型液晶表示パネル１０がＡ方向に開いた状態（図１参照）では、直視型液晶表示パネル１０に画像を表示するだけで、ファインダ型液晶表示パネル１１に表示しないようにする。直視型液晶表示パネル１０を図１の状態からさらにＢ方向に回転させ、その表示面を被写体側に向けた場合、直視型液晶表示パネル１０に画像を表示すると同時に、ファインダ型液晶表示パネル１１にも表示するようにする。また、直視型液晶表示パネル１０の表示面をカメラ一体型ＶＴＲ２０本体に向けて収納した場合、ファインダ型液晶表示パネル１１に画像を表示するだけで、直視型液晶表示パネル１０に表示しないようにする。
【００２９】
そして、選択された液晶表示パネルを判別する（ステップＳ４）。直視型液晶表示パネル１０だけが選択された場合、第１の制御データを読み込み（ステップＳ５）、この第１の制御データ７を用いて、コントラスト調整回路３、ブライトネス調整回路４およびガンマ調整回路５の調整値を設定する（ステップＳ６）。この後、本処理を終了する。また、ステップＳ４でファインダ型液晶表示パネル１１だけが選択された場合、第２の制御データ８を読み込み（ステップＳ７）、この第２の制御データ８を用いて、ステップＳ６でコントラスト調整回路３、ブライトネス調整回路４およびガンマ調整回路５の調整値を設定する。この後、本処理を終了する。
【００３０】
また、ステップＳ４で直視型液晶表示パネル１０およびファインダ型液晶表示パネル１１の両方が選択された場合、ユーザが切替スイッチ２５を操作することにより、画質優先モードの切替が指示されたか否かを判別する（ステップＳ８）。画質優先モードの切替が指示されなかった場合、第３の制御データ８を読み込み（ステップＳ９）、この第３の制御データ９を用いて、ステップＳ６でコントラスト調整回路３、ブライトネス調整回路４およびガンマ調整回路５の調整値を設定する。この後、本処理を終了する。また、ステップＳ８で直視型液晶表示パネル１０の優先が指示された場合、第４の制御データ２１を読み込み（ステップＳ１０）、この第４の制御データ２１を用いて、ステップＳ６でコントラスト調整回路３、ブライトネス調整回路４およびガンマ調整回路５の調整値を設定する。この後、本処理を終了する。また、ステップＳ８でファインダ型液晶表示パネル１１の優先が指示された場合、第５の制御データ２２を読み込み（ステップＳ１１）、この第５の制御データ２２を用いて、ステップＳ６でコントラスト調整回路３、ブライトネス調整回路４およびガンマ調整回路５の調整値を設定する。この後、本処理を終了する。
【００３１】
このように、本実施形態の画像表示装置によれば、直視型液晶表示パネル１０およびファインダ型液晶表示パネル１１に供給される映像信号を処理する際、それぞれに専用の液晶駆動回路を設けることなく、液晶表示パネルの画質を最適化できる。したがって、部品面積、消費電力、コストを抑えることができる。
【００３２】
すなわち、マイコン１４が直視型液晶表示パネル１０だけを駆動する場合、直視型液晶表示パネルの光学特性に最適な設定値の組み合わせ（ブライトネス、コントラスト、ガンマ等の調整を行う制御信号の設定値の組合せ）で液晶駆動回路２を制御することにより、また、ファインダ型液晶表示パネル１１だけを駆動する場合、ファインダ型液晶表示パネル１１の光学特性に最適な設定値の組み合わせで、液晶駆動回路２を制御することにより、常に最適な画質で液晶表示パネルを駆動することが可能である。
【００３３】
また、直視型液晶表示パネル１０およびファインダ型液晶表示パネル１１の両方を同時に駆動する場合、ほぼ中間値の組合せで、液晶駆動回路２を制御することにより、それぞれの液晶表示パネルを破綻のない画質で表示させることが可能である。また、これら２つの液晶表示パネルを同時に表示する場合、直視型液晶パネルの画質を優先させる、あるいはファインダ型液晶表示パネルの画質を優先させることも可能である。
【００３４】
以上が本発明の実施形態の説明であるが、本発明は、これら実施形態の構成に限られるものではなく、特許請求の範囲で示した機能、または実施形態の構成が持つ機能が達成できる構成であればどのようなものであっても適用可能である。
【００３５】
例えば、上記実施形態では、液晶表示パネルが２つ設けられた場合を示したが、３つ以上であってもよく、本発明は同様に適用可能である。また、上記実施形態では、液晶表示パネルの光学特性の設定値として、コントラスト、ブライトネス、ガンマを示したが、これらの調整値以外の調整値、例えばホワイトバランスなどであってもよい。
【００３６】
また、上記実施形態では、液晶表示パネルに適用された場合を示したが、表示器としては、これに限らず、有機ＥＬディスプレイ、プラズマディスプレイ等を用いることができる。
【００３７】
また、本発明の目的は、実施形態の機能を実現するソフトウェアのプログラムコードを記録した記憶媒体を、画像表示装置に供給し、その装置のコンピュータ（またはＣＰＵやＭＰＵ等）が記憶媒体に格納されたプログラムコードを読み出して実行することによっても達成される。この場合、記憶媒体から読み出されたプログラムコード自体が前述した実施形態の機能を実現することになり、そのプログラムコードを記憶した記憶媒体は本発明を構成することになる。又、プログラムコードを供給するための記憶媒体としては、例えば、ＲＯＭに限らず、コンパクトフラッシュ（登録商標）等のメモリカード等で構成されてもよい。
【図面の簡単な説明】
【００３８】
【図１】実施の形態におけるカメラ一体型ＶＴＲの外観を示す斜視図である。
【図２】カメラ一体型ＶＴＲの電気的構成を示すブロック図である。
【図３】各制御データの値を示すテーブルである。
【図４】コントラスト調整回路３、ブライトネス調整回路４およびガンマ調整回路５の調整値設定処理手順を示すフローチャートである。
【図５】従来の液晶表示装置の電気的構成を示すブロック図である。
【符号の説明】
【００３９】
２  液晶駆動回路
３  コントラスト調整回路
４  ブライトネス調整回路
５  ガンマ調整回路
６  メモリ
１０  直視型液晶表示パネル
１１  ファインダ型液晶表示パネル
１２  開閉検知スイッチ（ＳＷ）
１３  回転検知スイッチ（ＳＷ）
１４  マイコン
２５  切替スイッチ（ＳＷ）
【図１】
2005348179.tif 000003
【図２】
2005348179.tif 000004
【図３】
2005348179.tif 000005
【図４】
2005348179.tif 000006
【図５】
2005348179.tif 000007